(57)【要約】【課題】耐久性に優れた金属製のコムの塗膜の剥がれによる見栄えの低下を防止し、メンテナンス工数の削減を図ったコム構造を提供する。【解決手段】エスカレータの乗降口におけるコムプレート３と踏段２との境界部に配設されて、踏段２のクリート２ａと噛み合う金属製のコム４の構造である。コム４は、矩形状の本体部９と、本体部９の一辺部９ａに突出形成された多数のくし歯１０ａからなるくし状部１０と、を有する。本体部９の上面には、隣接するくし歯１０ａ同士の間の隙間１２を延長するかたちで当該隙間１２の幅に相当する多数の溝部１３を形成してある。これらの溝部１３にはコム４自体の色と異なる黄色等の警告色による着色層１５をもって着色してある。【選択図】図３
2014125319.tif 000002
【特許請求の範囲】
【請求項１】
エスカレータの乗降口における床板と踏段との境界部に配設されて、当該踏段のクリートと噛み合う金属製のコムの構造であって、
矩形状の本体部と、この本体部の一辺部に突出形成された多数のくし歯からなるくし状部と、を有し、
上記本体部の上面には、隣接するくし歯同士の間の隙間を延長するかたちで当該隙間の幅に相当する多数の溝部を上記本体部の一辺部と正対する他の一辺部側にわたって形成してあり、
これらの溝部にコム自体の色と異なる特定の色で着色してあることを特徴とするエスカレータのコム構造。
【請求項２】
上記溝部の溝幅は隣接する溝部同士の間に残された突条部の幅寸法よりも大きく形成されていて、当該溝部の縦壁面と底面のうち少なくもと底面に着色してあることを特徴とする請求項１に記載のエスカレータのコム構造。
【請求項３】
上記溝部の溝幅は溝深さよりも大きく形成されていることを特徴とする請求項２に記載のエスカレータのコム構造。
【請求項４】
材質がアルミニウム合金であることを特徴とする請求項３に記載のエスカレータのコム構造。
【請求項５】
請求項１〜４のいずれか一つに記載のエスカレータのコムを製造する方法であって、
上記本体部の上面にコム自体の色と異なる特定の色で塗装を施した後に、上記本体部の上面のうち多数の溝部以外の塗色を機械加工にて除去することを特徴とするエスカレータのコムの製造方法。
【請求項６】
上記機械加工がやすり仕上げであることを特徴とする請求項５に記載のエスカレータのコムの製造方法。
【発明の詳細な説明】
【技術分野】
【０００１】
本発明は、エスカレータの乗降口における床板と踏段（踏板またはステップ）との境界部に配設されて、踏段側のクリートと噛み合うことになるくし歯状のコムの構造とその製造方法に関する。
【背景技術】
【０００２】
従来、この種のコム（いわゆるくし板）の構造として、例えば特許文献１に記載されているように、視認性に優れた黄色や橙色等の警告色の樹脂材料で形成したものや、特許文献２に記載されているように、ステンレスあるいはアルミニウム合金等の金属製のものが広く知られている。そして、金属製のコムについてもその表面（踏面）を黄色や橙色等の視認性に優れた警告色にて塗装を施すことが行われている。
【０００３】
なお、この種のエスカレータのコムは、エスカレータの乗降口における床板（コムプレート）と踏段との境界部に配設されて、踏段側のクリートの溝部に対してコム側のくし歯が噛み合うことで異物が挟まれるのを防止する機能を有するものである。
【先行技術文献】
【特許文献】
【０００４】
【特許文献１】実公昭４９−３４３１２号公報
【特許文献２】特開昭６１−２３５３８９号公報
【発明の概要】
【発明が解決しようとする課題】
【０００５】
特許文献１に記載されているような樹脂製のコムは、所定形状に成形する際に同時に着色できる利点がある反面、例えば小石を噛み込んだような場合にはくし歯が折れやすく、耐久性の面で十分でないだけでなく、コムの交換に要する費用と工数を無視することができず、なおも改善の余地を残している。
【０００６】
また、例えばアルミダイカスト法にて成形されることになるアルミニウム合金等の金属製のコムは、耐久性に優れる反面、成形後に少なくとも踏面となる表面を黄色や橙色等の視認性に優れた警告色にて塗装を施して着色する必要があり、コストアップが余儀なくされる。その上、上記塗装による着色部は乗客に踏まれることにより塗膜が剥がれやすく、早い時期に見栄えが悪いものとなるほか、その対策として頻繁に塗装のし直しの手間が発生することとなって好ましくない。
【０００７】
本発明はこのような課題に着目してなされたものであり、耐久性に優れた金属製のコムを採用した上で、塗膜の剥がれによる見栄えの低下を防止するとともに、着色のための塗装のし直し作業を廃止して、メンテナンス工数の削減を図ることができるコムの構造を提供するものである。
【課題を解決するための手段】
【０００８】
本発明は、エスカレータの乗降口における床板と踏段（踏板またはステップ）との境界部に配設されて、当該踏段のクリートと噛み合う金属製のコムの構造であって、矩形状の本体部と、この本体部の一辺部に突出形成された多数のくし歯からなるくし状部と、を有し、上記本体部の上面には、隣接するくし歯同士の間の隙間を延長するかたちで当該隙間の幅に相当する多数の溝部を上記本体部の一辺部と正対する他の一辺部側にわたって形成してあり、これらの溝部にコム自体の色と異なる特定の色で着色してあることを特徴とする。
【０００９】
上記着色は、視認性に優れた黄色や橙色等の警告色によるものとし、その着色のための手法は特に問わず、例えば塗装のほか、蛍光色等のテープを貼着しても良い。
【００１０】
より具体的には、着色部の視認性を良好なものとする上では、請求項２に記載のように、上記溝部の溝幅は隣接する溝部同士の間に残された突条部の幅寸法よりも大きく形成されていて、当該溝部の縦壁面と底面のうち少なくもと底面に着色してあるものとする。より望ましくは、請求項３に記載のように、上記溝部の溝幅は溝深さよりも大きく形成されているものとする。
【００１１】
さらに、請求項４に記載のように、コム自体の材質は、例えばアルミダイカスト法による成形が可能なアルミニウム合金であるものとする。
【００１２】
したがって、少なくとも請求項１に記載の発明では、コムの本体部のうち溝部のみにコム自体の色と異なる特定の色で着色してあることから、コムの本体部を多くの乗客が踏むことがあっても着色部が剥がれることはなく、その着色の効果を長期にわたって維持することができる。
【００１３】
また、上記コムを製造するにあたっては、請求項５に記載のように、上記本体部の上面にコム自体の色と異なる特定の色で塗装を施した後に、上記本体部の上面のうち多数の溝部以外の塗色を機械加工にて除去する工法とする。この場合において、上記機械加工は、請求項６に記載のようにやすり仕上げとする。このやすり仕上げのために、本体部の溝部以外の上面が適度な表面粗さの粗面となることによって滑り止め効果が発揮され、いわゆるノンスリップ仕様とすることができる。
【００１４】
なお、本発明は、エスカレータだけでなく、いわゆる動く歩道のコムとしても同様に適用することができる。
【発明の効果】
【００１５】
本発明によれば、金属製のコムでありながらも着色の効果を長期にわたって維持することができるから、耐久性に優れることはもちろんのこと、着色部の剥がれによる視認性や見栄えの低下を未然に防止するができる。また、着色のための塗装のし直し作業が不要となって、メンテナンス工数の削減が図れる。
【図面の簡単な説明】
【００１６】
【図１】本発明に係るコム構造の好ましい実施の形態を示す図で、エスカレータの乗降口の要部分解斜視図。
【図２】図１のＡ−Ａ線に沿った拡大断面図。
【図３】図１に示すコム単独での平面図。
【図４】図１に示すコム単独での下面図。
【図５】図１のＢ−Ｂ線に沿った断面図。
【図６】図３のＣ−Ｃ線に沿った拡大断面図。
【発明を実施するための形態】
【００１７】
図１〜６は本発明に係るエスカレータのコム構造を実施するためのより具体的な形態を示す図で、特に図１はエスカレータの乗降口の要部の斜視図を、図２は図１のＡ−Ａ線に沿った断面図をそれぞれ示している。さらに、図３〜６は図１，２におけるコム４単独での詳細をそれぞれ示している。
【００１８】
図１および図２に示すように、エスカレータの乗降口１には、図示外の構造体に支えられた状態でチェーンとともに周回移動する踏段（踏板またはステップとも言う。）２の一部を覆うように、床板の一部として機能するコムプレート３が配設されている。そして、踏段２とコムプレート３との境界部に複数のコム４が横一列に配置される。踏段２にはその進行方向を指向する多数の凸状部と凹溝部とを交互に配したクリート２ａが形成されていて、このクリート２ａが乗降時の踏面として機能するようになっているとともに、この踏段２のクリート２ａに対して後述するコム４側のくし状部１０が噛み合うことになる。
【００１９】
コム４は、図１，２に示すように、コムプレート３の端部の段状部３ａに嵌合保持させた上で、段状部３ａの裏側に挿入されるバー状のリテーナ５に対して複数のビス６にて着脱可能に共締め固定される。なお、コム４およびコムプレート３の段状部３ａにはビス６が挿入される取付穴７または８が形成されている。
【００２０】
図３は図１に示したコム４単独での上面図を、図４は同じく下面図をそれぞれ示している。さらに、図５は図３のＢ−Ｂ線に沿った断面図を、図６は図３のＣ−Ｃ線に沿った拡大断面図をそれぞれ示している。
【００２１】
図１のほか図３〜６から明らかなように、コム４は例えばアルミダイカスト法にて成形されたアルミニウム合金製のものであって、大きく分けて、平面視にて矩形状をなす本体部９と、この本体部９のうち図１の取付状態で踏段２側に位置することになる一辺部（長片部）９ａに突出形成された多数のくし歯１０ａからなるくし状部１０と、から構成されている。なお、コム４の材質は必ずしもアルミニウム系のものである必要はなく、鋼板あるいはステンレス等であっても良い。
【００２２】
図２からも明らかなように、コム４の本体部９は、コムプレート３と踏段２との段差に対応するべく、上向き凸状の滑らかな湾曲形状となっているとともに、図１，２に示すビス６が挿入されることになる一対の取付穴７を貫通形成してあるほか、本体部９の裏面には軽量化のための複数の凹陥部１１が形成されている。
【００２３】
くし状部１０を形成している多数のくし歯１０ａは、図１，２に示した踏段２側のクリート２ａの凹溝部に嵌り込むように踏段２の進行方向を指向していて、これらのくし歯１０ａは当該くし歯１０ａ同士の間の隙間１２を隔てて本体部９の長辺方向に沿って等ピッチで並設されている。
【００２４】
本体部９のうち踏面となる上面には、隣接するくし歯１０ａ同士の間の隙間１２を延長するかたちで、当該隙間１２の幅に相当する多数の溝部１３を、本体部９のもう一方の一辺部（長辺部）９ｂ、すなわちくし状部１０が形成された一辺部９ａと正対する他方の一辺部９ｂ側にわたって形成してある。つまり、本体部９の上面には、くし歯１０ａ，１０ａ同士の間の隙間１２の幅に相当し且つ本体部９の短辺方向を指向する多数の溝部１３を、その全面にわたって等ピッチで形成してある。その結果として、本体部９の上面には、多数の溝部１３と、それらの溝部１３，１３同士の間に残された多数の突条部１４とが、交互に且つ縞状に形成されていることになる。
【００２５】
そして、それぞれの溝部１３は、図６に拡大して示すように、その溝深Ｄに対して溝幅Ｗ１が数倍大きなものとなっているとともに、溝幅Ｗ１は溝部１３，１３同士の間に残された上記突条部１４の幅寸法Ｗ２よりも大きなものとなっていて、これらの多数の溝部１３のうちその縦壁面１３ａと底面１３ｂには、コム４自体の色と異なる特定の色、例えば視認性に優れた黄色や橙色等の警告色による塗装を施すことにより着色層１５をもって着色してある。ただし、図３では上記着色層１５をハーフトーンで表示してある。
【００２６】
なお、図３，５から明らかなように、上記のような多数の溝部１３とは別に、それぞれの突条部１４の複数箇所には、滑り止めのための複数の凹溝１６を形成してある。
【００２７】
ここで、本体部９の上面のうち溝部１３のみに塗装による着色を施して着色層１５とし、それ以外の多数の突条部１４に着色していないのは次のような理由による。つまり、コム４の本体部９の上面は乗降時の踏面としても機能するが故に、仮に多数の突条部１４に塗装をもって着色したとしても、早い時期に塗膜が剥がれてしまって見栄えが悪くなるだけでなく、頻繁な塗装のし直しが必要となるからである。
【００２８】
また、本体部９の上面のうち溝部１３のみに限定して着色する方法としては、例えば溝部１３を含む本体部９の上面全体に塗装を施して着色した後に、機械加工であるやすり仕上げをもって突条部１４の塗膜のみを剥離させるものとする。こうすることにより、多数の溝部１３の縦壁面１３ａと底面１３ｂのみに塗装による着色層１５が残されるとともに、それぞれの突条部１４の頂部が適度な表面粗さの粗面となることによって一層滑り止め効果が発揮され、いわゆるノンスリップ仕様とすることができる。なお、上記やすり仕上げ作業は、当然のことながら手動であると自動であるとを問わないものである。
【００２９】
さらに、上記のように多数の溝部１３のうちの縦壁面１３ａと底面１３ｂとを塗装にて着色する方法に代えて、例えば多数の溝部１３の底面１３ｂのみに例えば先に例示した警告色や蛍光色のテープを貼着することも可能である。
【００３０】
したがって、このようなコム４の構造によれば、図１の装着状態をもって踏段２とコムプレート３との境界部に複数のコム４を横一列に配置した場合、乗降客は必然的にほぼ真上からこれらのコム４を視認することになる。そのため、それぞれのコム４の溝部１３のみに警告色の着色が施されていたとしても、コム４の本体部９の上面全体が着色されている場合と同様に、その警告色を無理なく認識することができる。したがって、金属製のコム４の利点である耐久性の向上を確保しつつ、同時にコム４の警告色の視認性を十分に確保することができる。
【００３１】
特に、着色されている溝部１３はその溝深さＤよりも溝幅Ｗ１の方が大きく、しかもその溝幅Ｗ１は隣接する突条部１４の幅寸法Ｗ２よりも大きいものとなっていることから、乗降客は一瞬にしてその着色部１５を認識することができる。
【００３２】
その上、上記のようにコム４の本体部９の上面のうち突条部１４を除いた溝部１３のみが着色層１５をもって着色されているだけであるから、本体部９の上面が乗降客によって繰り返し踏まれたとしても、乗降客の靴底等が着色層１５に直接触れることはないから、上記着色層１５の塗膜が剥がれることもない。そのため、着色層１５の塗膜が剥がれて見栄えが悪くなるようなこともなければ、塗装のし直しをする必要もなく、その着色層の耐久性の向上とともにメンテナンス工数を大幅に削減することが可能となる。
【００３３】
ここで、本実施の形態では、エスカレータにおけるコム４を例にとって説明したが、本発明は同じ乗客搬送手段である動く歩道についても同様に適用することができる。
【符号の説明】
【００３４】
１…乗降口
２…踏段
２ａ…クリート
３…コムプレート（床板）
４…コム
９…本体部
９ａ…一方の一辺部
９ｂ…他方の一辺部
１０…くし状部
１０ａ…くし歯
１２…隙間
１３…溝部
１４…突状部
１５…着色層
【図１】
2014125319.tif 000003
【図２】
2014125319.tif 000004
【図３】
2014125319.tif 000005
【図４】
2014125319.tif 000006
【図５】
2014125319.tif 000007
【図６】
2014125319.tif 000008